(57)【要約】【課題】  例えば時間貸し駐車場において月極契約者の利用に対して課金しないようにすることにより、月極契約者の二重払いを回避することができる駐車場管理サーバを提供する。【解決手段】  複数の駐車場店舗に設置された店舗端末1にインターネット4を介して接続され、これらの駐車場店舗を一元管理する駐車場管理サーバ2であって、一の駐車場店舗で契約した月極契約者に関する情報を記憶する月極契約者情報データベース21と、一の店舗端末1で入力されたその駐車場店舗の駐車場利用者200に関する情報を受信する通信装置26と、該通信装置26により受信した駐車場利用者200に関する情報に基づいて月極契約者情報データベース21を参照し、駐車場利用者200が月極契約者であるか否かを判断し、月極契約者であると判断した場合には、課金をしない一方、月極契約者でない場合には時間課金をするCPU 20とを備え、該CPU 20による課金情報を通信装置26により店舗端末1に送信する。【選択図】      図１
2005115469.tif 000002
【特許請求の範囲】
【請求項１】
複数の駐車場店舗に設置された店舗端末にインターネットを介して接続され、これらの駐車場店舗を一元管理する駐車場管理サーバであって、
一の駐車場店舗で契約した月極契約者に関する情報を記憶する月極契約者情報記憶手段と、
一の店舗端末で入力されたその駐車場店舗の駐車場利用者に関する情報を受信する駐車場利用者情報受信手段と、
該駐車場利用者情報受信手段により受信した前記駐車場利用者に関する情報に基づいて前記月極契約者情報記憶手段を参照し、前記駐車場利用者が月極契約者であるか否かを判断する月極契約者判断手段と、
該月極契約者判断手段により前記駐車場利用者が月極契約者であると判断した場合には、課金をしない一方、前記駐車場利用者が月極契約者でない場合には時間課金をする課金手段と、
該課金手段による課金情報を前記店舗端末に送信する課金情報送信手段と
を備えることを特徴とする駐車場管理サーバ。
【発明の詳細な説明】
【技術分野】
【０００１】
本願発明は、一の駐車場店舗で月極契約した駐車場利用者に対して、契約期間中は他の駐車場を無料で利用できるようにする、複数の駐車場店舗に設置された店舗端末を一元管理する駐車場管理サーバに関する。
【背景技術】
【０００２】
一般に、駐車場には、月極と時間貸しとの２つの契約形態が存在するが、月極契約者の多くは、例えば、家や勤務先近くの駐車場で月極契約し、出掛け先の駐車場では時間貸し利用する等、二重払いをしている。
【０００３】
例えば、特許文献１乃至３には、昼間等のあまり利用されていない時間帯における月極駐車場の利用状況をネットワークを介してサーバに吸い上げ、この利用状況に応じて時間貸しすることにより、駐車場スペースの有効利用を図る技術が開示されている。
【特許文献１】特開2002-260029号公報
【特許文献２】特開2002-324138号公報
【特許文献３】特開平5-242394号公報
【発明の開示】
【発明が解決しようとする課題】
【０００４】
しかしながら、上述した従来の駐車場管理サーバにあっては、駐車場スペースの有効利用は図れるものの、月極契約者の二重払いの問題は解決されない。
【０００５】
本願発明は、斯かる事情に鑑みてなされたものであり、例えば時間貸し駐車場において月極契約者の利用に対して課金しないようにすることにより、月極契約者の二重払いを回避することができる駐車場管理サーバを提供することを目的とする。
【課題を解決するための手段】
【０００６】
本願発明に係る駐車場管理サーバは、複数の駐車場店舗に設置された店舗端末にインターネットを介して接続され、これらの駐車場店舗を一元管理する駐車場管理サーバであって、一の駐車場店舗で契約した月極契約者に関する情報を記憶する月極契約者情報記憶手段と、一の店舗端末で入力されたその駐車場店舗の駐車場利用者に関する情報を受信する駐車場利用者情報受信手段と、該駐車場利用者情報受信手段により受信した前記駐車場利用者に関する情報に基づいて前記月極契約者情報記憶手段を参照し、前記駐車場利用者が月極契約者であるか否かを判断する月極契約者判断手段と、該月極契約者判断手段により前記駐車場利用者が月極契約者であると判断した場合には、課金をしない一方、前記駐車場利用者が月極契約者でない場合には時間課金をする課金手段と、該課金手段による課金情報を前記店舗端末に送信する課金情報送信手段とを備えることを特徴とする。
【発明の効果】
【０００７】
上記発明によれば、一の駐車場店舗において月極契約している駐車場利用者に対しては、他の駐車場において無料で時間貸し利用させるようになっているので、月極契約者の二重払いが回避される。これにより、特に、主として時間貸し利用の駐車場にあっては、その稼働率を挙げることができ、その周辺の無断駐車や路上駐車を減らすことが可能であり、また、一の月極契約により複数の駐車場を利用できるようになるため、以って月極契約者の増加が期待できる。
【発明を実施するための最良の形態】
【０００８】
以下、本願発明に係る駐車場管理サーバについて添付の図面を参照しながら具体的に説明する。
【０００９】
図１は、本願発明の実施の形態に係る駐車場管理システムの構成を示す図である。図１において、1は、各駐車場店舗に設置された店舗端末である。ここでは、便宜上、A店からD店までの４店舗を示してあるが、本願発明においては、店舗数は複数であれば何店舗あっても構わない。
【００１０】
各店舗端末1は、CPU 10，管理者用ディスプレイ11，利用者用ディスプレイ12，キャッシュドロア13，通信装置14，キーボード15，プリンタ16，ROM 17，及びRAM 18等を備えている。
【００１１】
CPU 10は、これにバス等を介して接続された店舗端末1の各部を、ROM 17に予め記憶されたコンピュータプログラムに基づいて制御する。ROM 17は、店舗端末1の最低限の動作に必要なコンピュータプログラムのみを記憶しており、その他すべての動作を、後述する駐車場管理サーバ2が実行するようになっている。なお、RAM 18は、CPU 10による各種動作の実行時に発生する一時的なデータを記憶する。
【００１２】
管理者用ディスプレイ11は、駐車場店舗に常駐する店舗管理者100が利用するための表示装置であり、例えば、店舗管理者100の詰め所内に設置されている。一方、利用者用ディスプレイ12は、駐車場店舗を利用する駐車場利用者（主に運転手）200が利用するための表示装置であり、駐車場利用者200が、搭乗している車両500内から見れるような位置に設置されている。
【００１３】
キャッシュドロア13は、駐車場利用者200から受け取った現金等を保管しておくための電子錠付きの金庫である。
【００１４】
通信装置14は、インターネット4を介した駐車場管理サーバ2との通信を可能にするためのインタフェースである。
【００１５】
キーボード15は、店舗管理者100が、駐車場利用者200に関する情報を入力するための入力装置である。なお、本願発明においては、入力装置をキーボードに限定するものではなく、例えば、上記の管理者用ディスプレイ11をタッチパネル方式とすることにより、このキーボード15を不要とすることも可能である。
【００１６】
プリンタ16は、店舗管理者100が駐車場利用者200に渡すための後述する受付票及びレシート160（図４参照）等を印字するための印字装置である。
【００１７】
一方、駐車場管理サーバ2は、各店舗端末1等をインターネット4を介してPOSの如く管理する機能を有したサーバ装置であり、CPU 20，月極契約者情報データベース（月極契約者情報DB）21，料金表データベース（料金表DB）22，及び店舗情報データベース（店舗情報DB）23等の各種データベースのほか、ROM 24，RAM 25，及び通信装置26等を備えている。
【００１８】
CPU 20は、これにバス等を介して接続された駐車場管理サーバ2の各部を、ROM 24に予め記憶されたコンピュータプログラムに基づいて制御し、ROM 24は、後述する本願発明に係る駐車場管理サーバ2の動作を実現するためのコンピュータプログラムを記憶している。なお、RAM 25は、CPU 20による各種動作の実行時に発生する一時的なデータを記憶する。通信装置26は、インターネット4を介した店舗端末1との通信を可能にするためのインタフェースである。
【００１９】
月極契約者情報データベース21は、図２に示す如く、「車両No.」，「車種」，及び「契約月」等を属性とした月極契約者に関する情報を記憶する。これらの情報は、例えば一の駐車場店舗で月極契約した際にその店舗端末1から入力され、これをインターネット4を介して駐車場管理サーバ2に吸い上げ、月極契約者情報データベース21に記憶される。「車両No.」には、例えば、「神戸500み89-30」，「なにわ33ほ38-74」等の車両500のナンバープレート501に記載されている情報が記憶される。「車種」には、例えば、「トヨタカローラ」，「三菱パジェロ」等の車両500のメーカ名及び車種等の情報が記憶される。「契約月」には、月極契約にかかる月が記憶される。具体的には、月極契約にかかる月に「１」のフラグが立てられ、契約の無い月は「０」とされる。
【００２０】
料金表データベース22は、駐車場管理サーバ2が「入庫日時」及び「出庫日時」の情報から演算する駐車場利用時間に対応する分単位の課金額を予め記憶している。
【００２１】
店舗情報データベース23は、図１に示す如く、「店舗ID」，「所在地」，「電話番号」，及び「パスワード」等の属性を有した駐車場店舗に関する情報を記憶する。「店舗ID」には、例えば、「元町１」，「中央区５」等の駐車場管理サーバ2が一元管理する駐車場店舗の名称をIDとした情報が記憶される。「所在地」には、各駐車場店舗の住所の情報が記憶され、「電話番号」には、各駐車場店舗の電話番号の情報が記憶される。「パスワード」には、各駐車場店舗の店舗管理者100が店舗IDと組み合わせて駐車場管理サーバ2にアクセスするためのパスワードが記憶される。
【００２２】
また、駐車場管理サーバ2には、インターネット4を介して駐車場管理者／所有者端末3が接続されており、複数の駐車場店舗を統括管理又は所有する駐車場管理者又は所有者300が駐車場管理者／所有者端末3を利用して駐車場管理サーバ2の各情報にアクセスすることができるようになっている。なお、セキュリティ上、駐車場管理サーバ2は、このアクセスに対して所定の認証を実行するようになっている。
【００２３】
本実施の形態に係る駐車場管理システムは以上の如きハードウェア構成とされ、図３及び図４のフローチャートに説明するような機能を有している。
【００２４】
まず、入庫時について説明する。図３に示すように、店舗管理者100は、入庫しようとしている車両500があった際に、キーボード15を操作して、駐車場店舗に予め割り当てられている「店舗ID」及び「パスワード」を入力し、店舗端末1のCPU 10は、入力された情報を通信装置14を介して駐車場管理サーバ2へ送信することにより、駐車場管理サーバ2へのログオンを試みる（ステップS1-1）。
【００２５】
駐車場管理サーバ2のCPU 20は、通信装置26を介して受信した「店舗ID」及び「パスワード」に基づいて店舗情報データベース23を参照し、これら「店舗ID」及び「パスワード」が店舗情報データベース23のものと一致するか否かを判定することにより、認証を行なう（ステップS1-2）。駐車場管理サーバ2のCPU 20は、「店舗ID」及び「パスワード」が一致しない場合（ステップS1-2で“NG”）にはログオン失敗と判断し（ステップS1-3）、一方、一致した場合（ステップS1-2で“OK”）にはログオン成功と判断し（ステップS1-4）、何れかのログオン結果を通信装置26を介して店舗端末1に送信する。
【００２６】
店舗端末1のCPU 10は、通信装置14を介して受信したログオン結果を管理者用ディスプレイ11に表示し（ステップS1-5）、店舗管理者100に報知する。ここで、ログオンが成功した場合には、店舗管理者100は、入庫しようとしている車両500の車名表示，ナンバープレート等を見て「車両No.」及び「車種」の駐車場利用者200に関する情報を得て、これら駐車場利用者200に関する情報をキーボード15を操作して入力し（ステップS1-6）、店舗端末1のCPU 10は、入力された情報を通信装置14を介して駐車場管理サーバ2へ送信する。
【００２７】
駐車場管理サーバ2のCPU 20は、通信装置26を介して受信した駐車場利用者200に関する情報をRAM 25に一時記憶すると共に、CPU 20の内蔵タイマ20aの計時時刻を「入庫日時」として対応してRAM 25に一時記憶し、また、該当する「店舗ID」の情報等に基づいて駐車場店舗の「空き位置」を特定し、その中から所定の駐車位置を割り当て（ステップS1-7）、これら「入庫日時」及び「駐車位置」の各情報を通信装置26を介して店舗端末1に送信する。なお、駐車場管理サーバ2のCPU 20は、「駐車位置」もRAM 25に一時記憶する。
【００２８】
店舗端末1のCPU 10は、通信装置14を介して受信した情報を管理者用ディスプレイ11に表示すると共に、受信した情報等を記載した所定の受付票（図示せず）をプリンタ16からプリントアウトし（ステップS1-8）、店舗管理者100が、プリントアウトされた受付票を駐車場利用者200に手渡すことによって、入庫作業が完了する。
【００２９】
続いて、出庫時について説明する。図４に示すように、店舗管理者100は、出庫しようとしている車両500があった際に、キーボード15を操作して、駐車場店舗に予め割り当てられている「店舗ID」及び「パスワード」を入力し、店舗端末1のCPU 10は、入力された情報を通信装置14を介して駐車場管理サーバ2へ送信することにより、駐車場管理サーバ2へのログオンを試みる（ステップS2-1）。
【００３０】
駐車場管理サーバ2のCPU 20は、通信装置26を介して受信した「店舗ID」及び「パスワード」に基づいて店舗情報データベース23を参照し、これら「店舗ID」及び「パスワード」が店舗情報データベース23のものと一致するか否かを判定することにより、認証を行なう（ステップS2-2）。駐車場管理サーバ2のCPU 20は、「店舗ID」及び「パスワード」が一致しない場合（ステップS2-2で“NG”）にはログオン失敗と判断し（ステップS2-3）、一方、一致した場合（ステップS2-2で“OK”）にはログオン成功と判断し（ステップS2-4）、何れかのログオン結果を通信装置26を介して店舗端末1に送信する。
【００３１】
店舗端末1のCPU 10は、通信装置14を介して受信したログオン結果を管理者用ディスプレイ11に表示し（ステップS2-5）、店舗管理者100に報知する。ここで、ログオンが成功した場合には、店舗管理者100は、出庫しようとしている車両500の駐車場利用者200から受付票を受け取り、そこに記載されている「駐車位置」の情報をキーボード15を操作して入力し（ステップS2-6）、店舗端末1のCPU 10は、入力された情報を通信装置14を介して駐車場管理サーバ2へ送信する。
【００３２】
駐車場管理サーバ2のCPU 20は、通信装置26を介して受信した「駐車位置」の情報に基づいてRAM 25に一時記憶している該当する駐車場利用者200に関する情報（「車両No.」及び「車種」等）を参照すると共に、この情報に基づいて月極契約者情報データベース21を参照し、この駐車場利用者200が月極契約者であるか否かを判断する（ステップS2-7）。月極契約者であるか否かを判断は、該当する駐車場利用者200に対応するレコードが月極契約者情報データベース21に存在し、且つ、該レコードの「契約月」の属性の当月に該当する月に「１」のフラグが立てられているものを、有効な月極契約者であるとする。
【００３３】
有効な月極契約者でない場合（ステップS2-7で“NO”）には、駐車場管理サーバ2のCPU 20は、このときの内蔵タイマ20aの計時時刻を「出庫日時」として、この「出庫日時」と、RAM 25に一時記憶している「入庫日時」とから「利用時間」を演算し、演算した「利用時間」に基づいて料金表データベース22を参照し、分単位での「料金（請求金額）」を演算する（ステップS2-8）。次に、駐車場管理サーバ2のCPU 20は、「入庫日時」，「出庫日時」，「利用時間」，及び「料金」等のレシートに必要な情報を通信装置26を介して店舗端末1に送信する。
【００３４】
店舗端末1のCPU 10は、通信装置14を介して受信した情報を管理者用ディスプレイ11及び利用者用ディスプレイ12に表示して店舗管理者100及び駐車場利用者200にそれぞれ報知すると共に、キャッシュドロア13の電子錠を開錠して店舗管理者100による清算作業が可能なようにする（ステップS2-10）。店舗管理者100によりキャッシュドロア13が閉じられると、店舗端末1のCPU 10は、これを施錠し、受信した情報を記載したレシートをプリンタ16からプリントアウトし（ステップS2-11）、店舗管理者100が、プリントアウトされたレシートを駐車場利用者200に手渡すことによって、出庫作業が完了する。ここで、プリントアウトされるレシート160には、図４にその一例を示す如く、「入庫日時」，「出庫日時」，「利用時間」，及び「請求金額」が記載される。
【００３５】
一方、有効な月極契約者である場合（ステップS2-7で“YES”）には、駐車場管理サーバ2のCPU 20は、このときの内蔵タイマ20aの計時時刻を「出庫日時」として、「入庫日時」及び「出庫日時」から「利用時間」を演算する（ステップS2-9）。次に、駐車場管理サーバ2のCPU 20は、「入庫日時」，「出庫日時」，及び「利用時間」を含むレシートに必要な情報を通信装置26を介して店舗端末1に送信する。
【００３６】
店舗端末1のCPU 10は、通信装置14を介して受信した情報を管理者用ディスプレイ11及び利用者用ディスプレイ12に表示して店舗管理者100及び駐車場利用者200にそれぞれ報知すると共に、受信した情報を記載したレシートをプリンタ16からプリントアウトし（ステップS2-11）、店舗管理者100が、プリントアウトされたレシートを駐車場利用者200に手渡すことによって、出庫作業が完了する。ここでプリントアウトされるレシート160は、図４に示した通常のレシートと同様であるが、料金演算されない、即ち課金対象とならないため、その「請求金額」が「０円」として記載される。
【産業上の利用可能性】
【００３７】
以上のように、本願発明に係る駐車場管理サーバによれば、例えば時間貸し駐車場において月極契約者の利用に対して課金しないようにすることにより、月極契約者の二重払いを回避することができる等、本願発明は優れた効果を奏する。
【図面の簡単な説明】
【００３８】
【図１】本願発明の実施の形態に係る駐車場管理システムの構成を示すブロック図である。
【図２】図１に示した月極契約者情報データベース（月極契約者情報DB）の内容を示す図である。
【図３】図１に示した店舗端末と駐車場管理サーバとが入庫時に行なう処理を示すフローチャートである。
【図４】図１に示した店舗端末と駐車場管理サーバとが出庫時に行なう処理を示すフローチャートである。
【符号の説明】
【００３９】
1  店舗端末
2  駐車場管理サーバ
3  駐車場管理者／所有者端末
4  インターネット
10  CPU
11  管理者用ディスプレイ
12  利用者用ディスプレイ
13  キャッシュドロア
14  通信装置
15  キーボード
16  プリンタ
17  ROM
18  RAM
20  CPU
20a  内蔵タイマ
21  月極契約者情報データベース（月極契約者情報DB）
22  料金表データベース（料金表DB）
23  店舗情報データベース（店舗情報DB）
24  ROM
25  RAM
26  通信装置
100  店舗管理者
160  レシート
200  駐車場利用者（運転手）
300  駐車場管理者／所有者
500  車両
501  ナンバープレート
【図１】
2005115469.tif 000003
【図２】
2005115469.tif 000004
【図３】
2005115469.tif 000005
【図４】
2005115469.tif 000006